(57)【要約】      （修正有）【課題】手を使用せず舌片状砂除け部材を靴内に簡単に収納し、履き易くなる靴の甲被構造を提供する。【解決手段】左右の側甲被１間に形成された甲前切開部を内側から、クッション性を備え形状を維持し柔軟性のある素材で形成された舌片状砂除け部材３で被覆し、その部材の爪先側の先端部を甲部内側に固定し、左右の片側を一方の側甲被に固定し、フリーな他方の側甲被側縁に略沿った位置に対応する箇所の他方の側甲被の略中間部端部から長手方向に沿って切開しスライド式ファスナー５ｂ，５ｃを設け、裏側に帯板状の保護片を配設しフリーな側縁が保護片で旧位に戻り、切開した上側甲被部分に甲バンド７の基部を固定し、裏面に面状ファスナーを形成し、甲バンドが甲前切開部を跨いで一方の側甲被上の面状ファスナーに着脱自在に固定する靴の甲被構造。【選択図】図１
0003156032.tif 000002
【実用新案登録請求の範囲】
【請求項１】
左右の側甲被間に形成された甲前切開部を内側から舌片状砂除け部材で被覆し、該舌片状砂除け部材はクッション性を備え形状を維持し柔軟性を有する素材で形成され、該舌片状砂除け部材のうち爪先側の先端部を甲部内側に固定し、該爪先側の先端部を固定した舌片状砂除け部材の左右いずれかの片側を一方の側甲被に固定し、他方の側甲被のうち舌片状砂除け部材に対しフリーな他方の側甲被側縁に略沿った位置に対応する箇所の他方の側甲被の略中間部端部から長手方向に沿って切開して開閉自在なスライド式ファスナーを設けるとともに該スライド式ファスナーの裏側に帯板状の保護片を配設して前記舌片状砂除け部材のフリーな側縁が保護片に案内されて旧位に復するように形成し、かつ前記切開した他方の側甲被のうち上側甲被部分に甲バンドの基部を固定し、該甲バンドの裏面に面状ファスナーを形成し、甲バンドが甲前切開部を跨いで一方の側甲被上の面状ファスナーに着脱自在に固定することを特徴とする靴の甲被構造。
【請求項２】
右の側甲被間に形成された甲前切開部を内側から舌片状砂除け部材で被覆し、該舌片状砂除け部材はクッション性を備え形状を維持し柔軟性を有する素材で形成され、該舌片状砂除け部材のうち爪先側の先端部を甲部内側に固定し、該爪先側の先端部を固定した舌片状砂除け部材の片側は一方の側甲被に対しフリーに形成し、他方の側甲被側縁に略沿った位置に対応する箇所の、他方の側甲被は略中間部端部から長手方向に沿って切開して開閉自在なスライド式ファスナーを設けるとともに該スライド式ファスナーの裏側に帯板状の保護片を配設し、前記切開した他方の側甲被のうち上側に位置する上側甲被部分に前記舌片状砂除け部材の端部を固定し、前記舌片状砂除け部材の他方の端部は他方の側甲被に対してフリーに形成し、かつ前記上側甲被部分に甲バンドの基部を固定し、該甲バンドの裏面に面状ファスナーを形成し、甲バンドが甲前切開部を跨いで一方の側甲被上の面状ファスナーに着脱自在に固定することを特徴とする靴の甲被構造。
【考案の詳細な説明】
【技術分野】
【０００１】
本考案は、ウォーキングシューズ、ジョギングシューズ、スポーツシューズ、スニーカー等の各種運動靴その他通常の靴あるいは室内履き用靴に適用され、甲前切開部を被覆する舌片状砂除け部材の少なくとも左右いずれかが斜め上方に向けて開放され、かつ開放された舌片状砂除け部材が手を使わずに旧位置に復帰でき、靴の履口部への足の出し入れが楽に行なわれ、靴を履いた状態での甲をしっかり固定できる靴の甲被構造に関する。
【背景技術】
【０００２】
従来のこの種の靴として、甲前切開部を有し、甲前切開部の爪先側下端部から上向きに延設した甲バンドを甲前切開部上に被せ、甲バンド裏面に設けた面ファスナーを甲前切開部両側の側甲被表面に設けた固定面ファスナーに係脱させる靴であって、前記甲バンドの上端部寄り位置に、甲バンド面中央部に指掛け部を曲成した引き紐を水平位に配置し、指掛け部の両側で引き紐を甲バンド面に添接状に支持して両端部を甲バンドの左右両側縁部に取り付けたことを特徴とする面ファスナー付き靴がある(特許文献１参照)。
【０００３】
また、胛被の甲前切開部の内面側に、該甲前切開部を覆う砂除け部材を配してなる靴において、甲前切開部を挟む内外の側胛部の一方から他方に亘って着脱自在に設けられた靴緊締部材を有し、かつ該靴緊締部材と砂除け部材とが結合手段によって連結されていることを特徴とする着脱容易な靴がある(特許文献２参照)。
【０００４】
さらに、底（１）と、甲皮（２）と、砂除け（３）と、少なくとも１本の甲バンド（４）とから主として構成される靴であって、（イ）前記砂除け（３）の下端（７）と一方の縁部（８）だけが甲皮（２）に固定され、他方の縁部（９）が完全な解放状態か或いは十分な間隔で甲皮（２）から弾性的に離脱するような状態で甲皮（２）に取り付けられていること、（ロ）前記少なくとも１本の甲バンド（４）が、甲皮（２）のインステップ部を跨ぐように取り付けられていて、その一方の端部（１０）が甲皮（２）に固定され、他方の端部（１１）が離着自由な係止手段（１２）によって甲皮（２）に仮止めされ、他方の端部（１１）を引き上げることによって甲皮（２）から自由に離着できるようになっていること、及び（ハ）前記甲バンド（４）と前記砂除け（３）を所定の連結具（１３）で連結していて，甲バンド（４）が移動すると同時に砂除け（３）を甲バンド（４）の移動方向と同じ移動方向に連動させ、甲バンド（４）の移動が終了すると同時に砂除け（３）を元の位置に戻すようになっていることを特徴とする靴がある(特許文献３参照)。
【先行技術文献】
【特許文献】
【０００５】
【特許文献１】特開２００６−８１５８１
【特許文献２】特開２００４−１２１７３９
【特許文献３】登録実用新案第３０６２５２７号
【考案の概要】
【考案が解決しようとする課題】
【０００６】
上記特許文献１の面ファスナー付き靴は、甲前切開部の下端部から上向きに延設した甲バンドが、甲前切開部の前方に適宜の間隔を採って位置し、靴を履くときは、甲バンドを甲前切開部上に被せるようにして甲バンド上端部を側甲被側に押しつけると甲バンドによる甲被の緊締が行われ、また、靴を脱ぐときは、甲バンドの上端部寄りに位置して甲バンド面から前向きに突出状とする引き紐の指掛け部に指先を入れてこれを前向きに引っ張るように操作すると、引き紐の両端部を取付けた甲バンドの左右両側縁部から面ファスナーは剥離を開始して甲バンドによる甲被の緊締が解かれるので、高齢者の靴や子供靴に適用して履用者自らして容易に靴を履いたり脱いだりすることができて便利なものである点が記載されている。しかし、引用文献１の面ファスナー付き靴は、靴を履く前及び靴を脱ぐ前のいずれの場合も舌片状の砂除けは甲前切開部の内側に収納されているために、履き口を広げて履くという技術思想はなく、この点で不便であることに変わりはない。
【０００７】
また、上記特許文献２の考案の靴は、胛被の甲前切開部の内側に該切開部を覆う砂除け部材を配した構造を有するため、足へのフィット性、ホールド性に優れ、幼児等が歩行する際の安全性が確保されという利点及び靴緊締部材と砂除け部材とを結合手段によって連結したため、片手で靴緊締部材を引っ張るだけで、靴緊締部材とともに砂除け部材が引き上げられて履き口が広がるため、砂除け部材が甲前切開部の内面側に設けられている靴でありながら、幼児等であっても容易に靴を着脱することができるという利点を有する。しかし、靴緊締部材を上方に引っ張った時に結合材を介して砂除け部材の片側が一方の側胛部内側から外れて引き上げられた状態となるために、履き口から足を入れた後、上方に引き上げられた砂除け部材の片側を側胛部内側に向けて元の位置に収めるためにはいちいち砂除け部材の片側を手で持って甲前切開部の内側に丁寧に収納しなけばならないという面倒さがあった。
【０００８】
上記特許文献３の考案は、底と、甲皮と、砂除けと、少なくとも１本の甲バンドとから主として構成される靴において、砂除けの下端と一方の縁部だけが甲皮に固定され、他方の縁部が完全な解放状態か或るいは十分な間隔で甲皮から解放されるような状態で甲皮に取り付けられていて、甲バンドが、甲皮のインステップ部を跨ぐように取付けられていて、一方の端部が甲皮に固定され、他方の端部が離着自由な係止手段によって甲皮に仮止めされ、他方の端部を引き上げることによって甲皮から自由に離着できるようになっていて、砂除けと甲バンドが任意の連結手段によって連結されていて、甲バンドと砂除けが連動するようになっているので、靴を足に入れる際に、履口が大きく拡張され、足入れの終了後、甲バンドを元の位置に戻すと、砂除けも同時に元の位置に戻り、たとえ、高齢者或いはリハビリテーション中の患者でも容易に靴を履くことが出来るという利点を有する旨の記載がされている。しかし、引用文献３の考案は、甲バンドを元の位置に戻すと、砂除けも同時に元の位置に戻ると記載されているが、甲バンドと砂除けとを連結具で連結して初めて達成されるのであり、連結具の繰り返し使用による破損等が生じた場合には、上記考案の効果は機能しないこととなる。
【０００９】
本願考案は上記の点に鑑みてなされたもので、その目的とするところは、従来、甲バンドと舌片状砂除け部材が連結構造の関係にあるために、舌片状砂除け部材が広く開放されるとは言え、靴内に足を入れた状態で舌片状砂除け部材の両端部を再び左右の側甲被の内側に収納させるのは手を使って収納させる必要があったが、本考案では基本的には手を使わずに舌片状砂除け部材を靴内に簡単に収納できる上に甲バンドの基部取付け部近傍に沿った方の側甲被にスライド式ファスナーを形成することにより、より一層舌片状砂除け部材が斜め上方に向けて開放されかつその開放された状態がスライド式ファスナーの開放時の甲バンドにより維持され、靴を履く人が一層履き易くなる靴の甲被構造を提供することにある。
【課題を解決するための手段】
【００１０】
本考案に係る靴の甲被構造は、左右の側甲被間に形成された甲前切開部を内側から舌片状砂除け部材で被覆し、該舌片状砂除け部材はクッション性を備え形状を維持し柔軟性を有する素材で形成され、該舌片状砂除け部材のうち爪先側の先端部を甲部内側に固定し、該爪先側の先端部を固定した舌片状砂除け部材の左右いずれかの片側を一方の側甲被に固定し、他方の側甲被のうち舌片状砂除け部材に対しフリーな他方の側甲被側縁に略沿った位置に対応する箇所の他方の側甲被の略中間部端部から長手方向に沿って切開して開閉自在なスライド式ファスナーを設けるとともに該スライド式ファスナーの裏側に帯板状の保護板を配設して前記舌片状砂除け部材のフリーな側縁が帯板状の保護片に案内されて旧位に復するように形成し、かつ前記切開した他方の側甲被のうち上側甲被部分に甲バンドの基部を固定し、該甲バンドの裏面に面状ファスナーを形成し、甲バンドが甲前切開部を跨いで一方の側甲被上の面状ファスナーに着脱自在に固定することを特徴とする。
【００１１】
また、本考案に係る靴の甲被構造は、左右の側甲被間に形成された甲前切開部を内側から舌片状砂除け部材で被覆し、該舌片状砂除け部材はクッション性を備え形状を維持し柔軟性を有する素材で形成され、該舌片状砂除け部材のうち爪先側の先端部を甲部内側に固定し、該爪先側の先端部を固定した舌片状砂除け部材の左右いずれか一方の片側は一方の側甲被に対しフリーに形成し、他方の側甲被側縁に略沿った位置に対応する箇所の、他方の側甲被は略中間部端部から長手方向に沿って切開して開閉自在なスライド式ファスナーを設けるとともに該スライド式ファスナーの裏側に帯板状の保護片を配設し、前記切開した他方の側甲被のうち上側に位置する上側甲被部分に前記舌片状砂除け部材の左右いずれか他方の端部を固定し、かつ前記上側甲被部分に甲バンドの基部を固定し、該甲バンドの裏面に面状ファスナーを形成し、甲バンドが甲前切開部を跨いで一方の側甲被上の面状ファスナーに着脱自在に固定することを特徴とする。
【考案の効果】
【００１２】
本考案に係る靴の甲被構造は、手を使わずに舌片状砂除け部材を靴内に収納できる上に甲バンドの基部取付け部近傍に沿った方の側甲被の略中間部端部から長手方向に沿ってスライド式ファスナーを形成することにより、より一層、舌片状砂除け部材が斜め上方に向けて開放されかつその開放された状態がスライド式ファスナーの開放時の甲バンドにより維持されるので、従来のように開放された舌片状砂除け部材を手で押える必要がなく、靴を履く人は簡単な操作で足り、一層履き易くなる。
【００１３】
すなわち、スライド式ファスナーを閉から開の状態にすると、上側に位置する分離可能な上側甲被部分がＶ字型に上方に向けて開き、舌片状砂除け部材のフリーとなっている側の上部を手で摘んで斜め上方に向けて開放する。舌片状砂除け部材のフリーとなっている端縁は上方に開放された上側甲被部分の内面に当接状態となる。この当接状態においては、履口部から足を入れるときに足が一層入れ易くなる。足を靴内に入れた後は、スライド式ファスナーを手で閉じると、上側に位置する分離可能な上側甲被部分が閉じた形状に変化する過程で当接状態にある舌片状砂除け部材の端縁も上側に位置する分離可能な上側甲被部分の内側に沿ってスライドし、さらに舌片状砂除け部材の端縁が保護片に自動的に案内されて側甲被の内側に収納される。
【００１４】
また、舌片状砂除け部材の左右いずれか一方の片側は一方の側甲被に対しフリーに形成し、他方の側甲被側縁に略沿った位置に対応する箇所の、他方の側甲被は略中間部端部から長手方向に沿って切開して開閉自在なスライド式ファスナーを設けるとともに該スライド式ファスナーの裏側に帯板状の保護片を配設し、前記切開した他方の側甲被のうち上側に位置する上側甲被部分に前記舌片状砂除け部材の左右いずれか他方の端部を固定し、かつ前記上側甲被部分に甲バンドの基部を固定する構成とすることによって、スライド式ファスナーの開放と連動して前記舌片状砂除け部材もより一層大きく開放され、甲前切開部が略完全な状態で開放されるために、靴を履くときに舌片状砂除け部材が何ら障害となることなくスムーズかつ楽に履ける。そして、足を靴に入れた後はスライド式ファスナーを閉の状態にすると舌片状砂除け部材も連動して下降するので、舌片状砂除け部材の左右いずれか一方の片側を一方の側甲被の内側に差し込むだけで済み、靴を履く時の動作が至極簡単で楽である。
【考案を実施するための形態】
【００１５】
以下，本考案の一実施例を図面に基づいて説明する。
図１は本考案の一実施例を示す左足用靴の甲被構造の甲バンド及び舌片状砂除け部材を開放した状態を示す左側から見た斜視図、図２は左足用靴の甲被構造の甲バンド及び舌片状砂除け部材を開放した状態を示す右側から見た斜視図、図３は左足用靴の甲被構造の甲バンド及び舌片状砂除け部材を開放した状態を内側から見た斜視図である。図４は左足用靴の甲被構造の断面図である。
１は左右の側甲被を示す。１ａは右の側甲被のうち上側に位置する分離可能な側甲被部分である。２は左右の側甲被１の間に形成された甲前切開部である。３は甲前切開部２を塞ぐための舌片状砂除け部材で、左右の側甲被１の内側から被覆する。舌片状砂除け部材３はその爪先側の先端部片側を甲皮４の裏側で糸等により固定されている。舌片状砂除け部材３は足の甲に直接当たる箇所であるので、例えば肌触りの良い繊維製布地を使用し、内部にクッション性素材を有し、形状を維持しながらも柔軟性を備えている素材で形成する。
【００１６】
また、本例では舌片状砂除け部材３の左側表面が左の側甲被１の裏面に重なる位置の中間部やや上側位置で糸等により固定されている。このように、左の側甲被１の裏面に重なる位置の中間部やや上側位置で固定することとしたのは、舌片状砂除け部材３の右側を斜め上方に向けて開放させる時に舌片状砂除け部材３の左側上端部がフリーであることによって一層、斜め上方への開放が容易となるようにするためである。舌片状砂除け部材３の右側端縁及びその近傍は右の側甲被１の裏面に重なる状態であるが、右の側甲被１に対しては固定せずにフリーの状態となっている。本例では、図３及び図４に示すように、舌片状砂除け部材３の左側表面が左の側甲被１の裏面に重なる位置の中間部やや上側位置で糸等により固定され、舌片状砂除け部材３の右側端縁及びその近傍は右の側甲被１の裏面に重なる状態であるが、右の側甲被１とは固定せずにフリーの状態となっている場合を示したが、これとは逆に、舌片状砂除け部材３の右側表面が右の側甲被１の裏面に重なる位置の中間部やや上側位置で糸等により固定され、舌片状砂除け部材３の左側端縁及びその近傍は左の側甲被１の裏面に重なる状態であるが、左の側甲被１に対しては固定せずにフリーの状態となっている場合であっても良い。
【００１７】
舌片状砂除け部材３の左右両側表面が左右の側甲被１の内側にそれぞれ重ねられた状態の位置の右端縁部位に沿った右の側甲被１の略中間部端部から長手方向に沿ってスライド式ファスナー５を設ける。このスライド式ファスナー５の取付け長さは例えば靴のサイズが２６．０ｃｍの場合、スライド式ファスナー５の取付け長さを６５ｍｍとした場合を示したが取付け長さは靴のサイズその他によって適宜変更されるものである。舌片状砂除け部材３の右端縁部位に沿った右の側甲被１の略中間部端部から長手方向に沿ってスライド式ファスナー５を設けることとしたのは、左足を靴の履口部６に入れる時に予めスライド式ファスナー５を開放しておくことにより右の側甲被１は外側に広がる自由度が従来よりも一層増すことができるようにするためである。  
【００１８】
スライド式ファスナー５はテープ５ａと、そのテープ５ａの端部に沿って取付ける上下のエレメント５ｂ、５ｃと、上下のエレメント５ｂ、５ｃに係合して前後にスライドするスライダー５ｄからなる。  
上側に位置する上エレメント５ｂと下側に位置する下エレメント５ｃを備えたスライド式ファスナー５のうち上側に位置する上エレメント５ｂに沿った近傍に甲バンド７の基部を糸縫い等により固定し、その甲バンド７が舌片状砂除け部材３の上を跨ぐようにして反対側に位置する左の側甲被１の部位に達する長さに形成する。甲バンド７裏面には着脱自在に付着する面状ファスナー８を形成する。９は左の側甲被１の表面に形成した面状ファスナーで、面状ファスナー８と着脱自在に付着する構造である。すなわち、面状ファスナー８、９の一方は多数の繊維からなるループ部を備えたファスナー部と、他方はそのループ部に絡まるように係止する繊維からなる多数の起毛部を備えたファスナー部とで形成されている。１０はスライド式ファスナー５で分離された右の側甲被１のうち下側に位置する固定した側甲被部分の上端部に沿って下エレメント５ｃの背後から上方に立ち上げられるようにして設けられた可撓性を有する帯板状の保護片である。帯板状の保護片１０はスライド式ファスナー５の隙間から内部に直接塵等が浸入するのを防ぐ作用や足の甲にスライド式ファスナー５が直接当たらないように足を保護する効果を有する他にガイド作用を有する。すなわち、舌片状砂除け部材３がスライド式ファスナー５の開放により上側に位置する分離可能な側甲被部分１ａが下に位置する固定した側甲被部分からＶ字状に離反して上方に押し上げられた時に舌片状砂除け部材３の右側端部が分離可能な側甲被部分の内面に当接状態にある状態からスライド式ファスナー５を閉じる動作に移った時に分離可能な側甲被部分１ａと一緒に舌片状砂除け部材３の右側端部の当接部分も下降することとなり舌片状砂除け部材３の右側端部の当接部分はさらに帯板状の保護片１０に案内されて旧位に復することとなる。
よって、舌片状砂除け部材３の右側端部が手を使わずとも連動して右の側甲被１の内側に収納されることとなる。
【００１９】
次に、請求項２に係る考案について図面に基づいて説明する。基本的な構成は請求項１ないし実施例１記載の考案と共通するので、相違する箇所について説明する。本例では先に述べた実施例を示す左足用靴の甲被構造に基づいて説明する。
爪先側の先端部を固定した舌片状砂除け部材３の左右いずれか一方の片側(本例では左側の場合である)は一方の側甲被１(本例では左側)に対しフリーに形成する。  他方の側甲被１(本例では右側)  の側縁に略沿った位置に対応する箇所の、他方の側甲被１は略中間部端部から長手方向に沿って切開して開閉自在なスライド式ファスナー５を設ける点及びスライド式ファスナー５の裏側に帯板状の保護片１０を配設する点は前記実施例と同様である。
切開した他方の側甲被１のうち上側に位置する分離可能な上側甲被部分１ａに舌片状砂除け部材３の左右いずれか他方の片側  (本例では右側)  の端部を固定する。その他の構成は、実施例と共通である。
【００２０】
次に、本考案に係る靴の使用方法について説明する。
先ず、甲バンド７の裏面に形成した面状ファスナー８を左の側甲被１の表面に形成した面状ファスナー９から離反させる。次に、スライド式ファスナー５のスライダー５ｄを手で摘んで斜め上方から斜め下方に向けてスライドさせながら上下エレメント５ｂ、５ｃを閉から開にする。次に、舌片状砂除け部材３の右側端部がフリーの状態であるので舌片状砂除け部材３を指で摘んで左から右斜め上方に向けて傾斜させる。この舌片状砂除け部材３は左から右斜め上方に傾斜した状態で舌片状砂除け部材３の右側端縁は、右の側甲被１のうちスライド式ファスナー５によってＶ字型に開放された上側に位置する分離可能な側甲被部分１ａも上方に持ち上げられると同時にその側甲被部分１ａの内面に舌片状砂除け部材３の右側端縁が当接状態となって舌片状砂除け部材３を斜めに傾斜させた状態で保持することとなる。この舌片状砂除け部材３を斜めに傾斜させた状態で保持された状態では、右の側甲被１のうち上側に位置する分離可能な側甲被部分１ａもフリーとなっており、外側に自由に広がることとなる。すなわち、こうして、左足を履口部６から入れ、つま先から踵まで楽に挿入できる。
【００２１】
左足を靴の中に入れた後はスライド式ファスナー５のスライダー５ｄを指で摘んで開の状態からスライドさせて完全に閉の状態まで閉じる。この時、上側に位置する分離可能な側甲被部分１ａも上エレメント５ｂと下エレメント５ｃがＶ字状に開いた状態から斜め上方に向けて直線状にファスナーが閉じられることとなり、これに伴って斜め上方に向けて傾斜していた舌片状砂除け部材３の右側端縁と当接状態となって分離可能な側甲被部分１ａも下方に押し下げられる結果、斜め上方に向けて傾斜していた舌片状砂除け部材３の右側端縁は分離可能な側甲被部分１ａの内面に沿って強制的に押し下げられる。舌片状砂除け部材３の右側端縁が下方に押し下げられる時に可撓性の帯状保護片１０に案内されながらスムーズに下降することとなる。スライド式ファスナー５を閉めた後は甲バンド７を手で持って舌片状砂除け部材３を跨ぐようにして反対側に位置する左の側甲被１の表明に形成した面状ファスナー９と甲バンド７の裏面に形成した面状ファスナー８とによって固定させる。
【００２２】
次に、請求項２に係る考案についての作用について述べる。
先ず、甲バンド７の裏面に形成した面状ファスナー８を左の側甲被１の表面に形成した面状ファスナー９から離反させる。次に、スライド式ファスナー５のスライダー５ｄを手で摘んで斜め上方から斜め下方に向けてスライドさせながら上下エレメント５ｂ、５ｃを閉から開にする。
スライド式ファスナー５の開放と連動して舌片状砂除け部材３もより一層大きく開放される。これは、舌片状砂除け部材３が上側に位置する分離可能な側甲被部分１ａに固定されているためである。すなわち、甲前切開部２が略完全な状態で開放される。したがって、靴を履くときに舌片状砂除け部材３は何ら障害となることなくスムーズかつ楽に履ける。そして、足を靴に入れた後はスライド式ファスナー５を閉の状態にすると舌片状砂除け部材３も連動して下降するので、舌片状砂除け部材３の左右いずれか一方の片側  (本例では左側)  のみを一方の側甲被１  (本例では左側)  の内側に差し込むだけで済み、靴を履く時の動作が至極簡単で楽である。
【図面の簡単な説明】
【００２３】
【図１】本考案の一実施例を示す左足用靴の甲被構造を左側から見た斜視図である。
【図２】左足用靴の甲被構造の舌片状砂除け部材を上方に開放させて片方の側甲被及び甲皮の各内側に糸で取付けた状態を示す右側から見た斜視図である。
【図３】本考案の一実施例を示す左足用靴の甲被構造を右側から見た斜視図である。
【図４】スライド式ファスナーを開いた時の舌片状砂除け部材と上側に位置する分離可能な側甲被部分との関係を示す斜視図である。
【図５】左の側甲被と舌片状砂除け部材との糸による取付け関係を示す断面図である。
【図６】左足用靴の甲被構造の断面図である。
【図７】左足用靴の甲被構造のスライド式ファスナーを開いた状態で履口から足を挿入した状態を示す斜視図である。
【図８】左足用靴の甲被構造のスライド式ファスナーを閉じた状態を示す斜視図である。
【図９】左足用靴の甲被構造のスライド式ファスナーを閉じる途中状態を示す斜視図である。
【図１０】左足用靴の甲被構造の全体を示す斜視図である。
【図１１】請求項２に係る左足用靴の甲被構造の斜視図である。
【図１２】請求項２に係る左足用靴の甲被構造の斜視図である。
【図１３】左の側甲被と舌片状砂除け部材との糸による取付け関係を示す断面図である。
【符号の説明】
【００２４】
１    左右の側甲被  
１ａ  上側に位置する分離可能な側甲被部分
２    甲前切開部
３    舌片状砂除け部材
４    甲皮
５    スライド式ファスナー
５ａ  テープ
５ｂ  上エレメント
５ｃ  下エレメント
５ｄ  スライダー
６    履口部
７    甲バンド
８    面状ファスナー
９    面状ファスナー
１０  帯板状の保護片    
【図１】
0003156032.tif 000003
【図２】
0003156032.tif 000004
【図３】
0003156032.tif 000005
【図４】
0003156032.tif 000006
【図５】
0003156032.tif 000007
【図６】
0003156032.tif 000008
【図７】
0003156032.tif 000009
【図８】
0003156032.tif 000010
【図９】
0003156032.tif 000011
【図１０】
0003156032.tif 000012
【図１１】
0003156032.tif 000013
【図１２】
0003156032.tif 000014
【図１３】
0003156032.tif 000015